(57)【要約】【課題】シャッターカーテンの開閉および停止を制御する制御盤を、障害物が取り除かれるか所定時間が経過するまでは動作状態を維持して待機させる能力を損なうことなく、制御盤に電力を供給するバッテリーなどの蓄電手段の容量を極力小さくする。【解決手段】コードリール１は、開口部を開閉するシャッターカーテンとシャッターカーテンを開閉駆動する駆動部とを備える防火シャッター装置に用いられ、シャッターカーテンの上昇時には導線としての電線１１を巻き取り、シャッターカーテンの下降時には電線１１を繰り出す機構である。コードリール１は、ドラム１２の回転を利用して発電を行う発電部としての発電機１５を備える。発電機１５は、シャッターカーテンの閉動作時にドラム１２の回転を利用して発電を行い、発電した電力を防火シャッター装置のバッテリーなどの蓄電部に供給して蓄積させる。【選択図】図１
0003174822.tif 000002
【実用新案登録請求の範囲】
【請求項１】
開口部を開閉するシャッターカーテンと、
前記シャッターカーテンを開閉駆動する駆動部と、
前記シャッターカーテンの先端に接触する物体を検知可能な検知スイッチと、
前記検知スイッチとの間を導線によって接続され、前記シャッターカーテンの閉動作時に前記検知スイッチからの検知信号を前記導線を介して受信したら、前記駆動部を制御して前記シャッターカーテンの閉動作を停止させる停止制御を行う制御部と、
前記シャッターカーテンの開動作時には前記導線を巻き取り、前記シャッターカーテンの閉動作時には前記導線を繰り出すコードリールと、
前記制御部を動作させるための電力を蓄積する蓄電部と、
を備えるシャッター装置において、
さらに、前記シャッターカーテンの閉動作時に発電を行い、発電した電力を前記蓄電部に供給して蓄積させる発電部を備えること
を特徴とするシャッター装置。
【請求項２】
請求項１に記載のシャッター装置において、
前記発電部は、閉動作時の前記シャッターカーテンを利用して発電を行うことを特徴とするシャッター装置。
【請求項３】
請求項１に記載のシャッター装置において、
前記シャッターカーテンを巻き取る巻胴部を備え、
前記発電部は、前記シャッターカーテンの閉動作に伴って回転する前記巻胴部を利用して発電を行うこと
を特徴とするシャッター装置。
【請求項４】
請求項１に記載のシャッター装置において、
前記発電部は、前記コードリールから繰り出される前記導線を利用して発電を行うこと
を特徴とするシャッター装置。
【請求項５】
請求項１に記載のシャッター装置において、
前記コードリールは、前記導線を巻き取る巻取りドラムを有し、
前記発電部は、前記コードリールから前記導線が繰り出されるのに伴って回転する前記巻取りドラムを利用して発電を行うこと
を特徴とするシャッター装置。
【請求項６】
請求項５に記載のシャッター装置において、
前記コードリールは、前記巻取りドラムの回転速度を増加させて前記発電部に伝達する回転増速部を有すること
を特徴とするシャッター装置。
【請求項７】
請求項５または請求項６の何れか１項に記載のシャッター装置において、
前記コードリールは、前記導線が繰り出される方向への前記巻取りドラムの回転を前記発電部に伝達し、前記導線が巻き取られる方向への前記巻取りドラムの回転を前記発電部に伝達しないクラッチを有すること
を特徴とするシャッター装置。
【請求項８】
請求項４〜請求項７の何れか１項に記載のシャッター装置において、
前記コードリールが前記発電部を有することを特徴とするシャッター装置。
【請求項９】
請求項８に記載のシャッター装置が備えるコードリール。
【考案の詳細な説明】
【技術分野】
【０００１】
本考案は、シャッター装置およびコードリールに関する。
【背景技術】
【０００２】
従来より、有線式の障害物検知装置を備える防火シャッター装置が知られている。
この有線式の障害物検知装置は、開口部を開閉するシャッターカーテンの下端に座板スイッチを設け、座板スイッチとシャッターカーテンの開閉および停止を制御する制御盤との間を導線により電気的に接続し、座板スイッチが障害物を検知した時、この検知信号を導線を通じて制御盤へ送信し、この信号を制御盤が受信することによって、シャッターカーテンの下降を停止させる機能を有する（例えば、特許文献１参照）。
【０００３】
なお、上述の制御盤は、火災時などに電力供給が停止されても上述のような障害物検知機能を維持する必要があるため、バッテリーなどの蓄電手段から供給される電力によって動作するようになっているのが一般的である。
【０００４】
そして、制御盤は、上述のようにシャッターカーテンの下降を停止させた後は、障害物が取り除かれたらシャッターカーテンの下降を再開させる必要があるため、障害物が取り除かれるか所定時間が経過するまでは動作状態を維持しながら待機することになる。
【先行技術文献】
【特許文献】
【０００５】
【特許文献１】特開２０００−９６９５２号公報（第２頁、図１）
【考案の概要】
【考案が解決しようとする課題】
【０００６】
しかしながら、特許文献１に記載の技術では、上述のように待機中も制御盤に電力を供給し続ける必要があるため、蓄電手段の容量を大きくするとともに予め充電しておく必要があった。
【０００７】
本考案は、このような課題に鑑みなされたものであり、その目的とするところは、シャッターカーテンの開閉および停止を制御する制御盤を、障害物が取り除かれるか所定時間が経過するまでは動作状態を維持して待機させる能力を損なうことなく、制御盤に電力を供給するバッテリーなどの蓄電手段の容量を極力小さくすることにある。
【課題を解決するための手段】
【０００８】
上記課題を解決するためになされた請求項１に係るシャッター装置は、開口部を開閉するシャッターカーテンと、前記シャッターカーテンを開閉駆動する駆動部と、前記シャッターカーテンの先端に接触する物体を検知可能な検知スイッチと、前記検知スイッチとの間を導線によって接続され、前記シャッターカーテンの閉動作時に前記検知スイッチからの検知信号を前記導線を介して受信したら、前記駆動部を制御して前記シャッターカーテンの閉動作を停止させる停止制御を行う制御部と、前記シャッターカーテンの開動作時には前記導線を巻き取り、前記シャッターカーテンの閉動作時には前記導線を繰り出すコードリールと、前記制御部を動作させるための電力を蓄積する蓄電部と、を備えるシャッター装置において、さらに、前記シャッターカーテンの閉動作時に発電を行い、発電した電力を前記蓄電部に供給して蓄積させる発電部を備えることを特徴とする。
【０００９】
このように構成された本考案のシャッター装置によれば、発電部がシャッターカーテンの閉動作時に発電を行い、発電した電力を蓄電部に供給して蓄積させるので、シャッターカーテンの開閉および停止を制御する制御盤を、障害物が取り除かれるか所定時間が経過するまでは動作状態を維持して待機させる能力を損なうことなく、制御盤に電力を供給する蓄電部の容量を極力小さくすることができる。
【００１０】
請求項２に係るシャッター装置は、請求項１に記載のシャッター装置において、前記発電部は、閉動作時の前記シャッターカーテンを利用して発電を行うことを特徴とする。
このように構成された本考案のシャッター装置によれば、当該シャッター装置の既存の構成であるシャッターカーテンを利用して発電を行うことができる。
【００１１】
請求項３に係るシャッター装置は、請求項１に記載のシャッター装置において、前記シャッターカーテンを巻き取る巻胴部を備え、前記発電部は、前記シャッターカーテンの閉動作に伴って回転する前記巻胴部を利用して発電を行うことを特徴とする。
【００１２】
このように構成された本考案のシャッター装置によれば、当該シャッター装置の既存の構成である巻胴部を利用して発電を行うことができる。また、発電部が巻胴部の回転を利用して発電を行うので、効率良く発電することができる。
【００１３】
請求項４に係るシャッター装置は、請求項１に記載のシャッター装置において、前記発電部は、前記コードリールから繰り出される前記導線を利用して発電を行うことを特徴とする。
【００１４】
このように構成された本考案のシャッター装置によれば、当該シャッター装置の既存の構成である導線を利用して発電を行うことができる。
請求項５に係るシャッター装置は、請求項１に記載のシャッター装置において、前記コードリールは、前記導線を巻き取る巻取りドラムを有し、前記発電部は、前記コードリールから前記導線が繰り出されるのに伴って回転する前記巻取りドラムを利用して発電を行うことを特徴とする。
【００１５】
このように構成された本考案のシャッター装置によれば、当該シャッター装置の既存の構成である巻取りドラムを利用して発電を行うことができる。また、発電部が巻取りドラムの回転を利用して発電を行うので、効率良く発電することができる。
【００１６】
請求項６に係るシャッター装置は、請求項５に記載のシャッター装置において、前記コードリールは、前記巻取りドラムの回転速度を増加させて前記発電部に伝達する回転増速部を有することを特徴とする。
【００１７】
このように構成された本考案のシャッター装置によれば、発電部が回転増速部によって増速されて勢い良く回転する巻取りドラムを利用して発電を行うので、効率良く発電することができる。
【００１８】
請求項７に係るシャッター装置は、請求項５または請求項６の何れか１項に記載のシャッター装置において、前記コードリールは、前記導線が繰り出される方向への前記巻取りドラムの回転を前記発電部に伝達し、前記導線が巻き取られる方向への前記巻取りドラムの回転を前記発電部に伝達しないクラッチを有することを特徴とする。
【００１９】
このように構成された本考案のシャッター装置によれば、巻取りドラムに導線を巻き取る際に発電部が負荷にならず、したがって、巻取りドラムへの導線の巻取りを円滑に行うことができる。
【００２０】
請求項８に係るシャッター装置は、請求項４〜請求項７の何れか１項に記載のシャッター装置において、前記コードリールが前記発電部を有することを特徴とする。
このように構成された本考案のシャッター装置によれば、コードリールをシャッター装置に設置すれば発電部をシャッター装置に設置することになり、シャッター装置を組み立てる際の作業性が向上する。
【００２１】
なお、本考案はコードリールとしても実現することができる（請求項９）。
【図面の簡単な説明】
【００２２】
【図１】本考案が適用されたコードリールの概略構成を示す図面であり、（ａ）は側面図（１）、（ｂ）は正面図、（ｃ）は側面図（２）、（ｄ）はＡＡ断面図である。
【考案を実施するための形態】
【００２３】
以下に本考案の実施形態を図面とともに説明する。
［１．コードリール１の構成の説明］
図１に示すコードリール１は、開口部を開閉するシャッターカーテンとシャッターカーテンを開閉駆動する駆動部とを備える防火シャッター装置に用いられ、シャッターカーテンの上昇時には導線としての電線１１を巻き取り、シャッターカーテンの下降時には電線１１を繰り出す機構である。
【００２４】
このため、コードリール１は、電線１１が巻き取られる巻取りドラムとしてのドラム１２を備える。このドラム１２は、筐体１３に回転可能に支持されており、筐体１３内に収納されたぜんまいばね１４により電線１１を巻き取る方向に常時付勢されている。
【００２５】
なお、電線１１は、一方の端部がシャッターカーテン下端に接触する障害物などの物体を検知する検知スイッチに接続されるとともに、他方の端部が障害物の検知時にシャッターカーテンの下降動作（閉動作）を停止させる停止制御を行う制御部に接続され、検知スイッチからの検知信号を制御部に伝送するようになっている。
【００２６】
また、コードリール１は、ドラム１２の回転を利用して発電を行う発電部としての発電機１５を備える。この発電機１５は、入力軸１５ａを回転させることにより、入力軸１５ａに取り付けられたコイルが筐体１５ｂ内に設置された一組以上の磁石の間を回転して発電するようになっている。そして、発電機１５は、発電した電力を端子１５ｃ，１５ｄに出力する。
【００２７】
また、発電機１５の入力軸１５ａには、筐体１３内に収納されたクラッチ１６が外挿されている。クラッチ１６は、一方方向の回転を伝達する構成であり、ドラム１２の一方方向の回転（本実施形態では、電線１１がドラム１２から繰り出される方向の回転）を発電機１５の入力軸１５ａに伝達するが、逆方向の回転（電線１１がドラム１２に巻き取られる方向の回転）にはフリーになって伝達しないようになっている。
【００２８】
さらに、クラッチ１６には、筐体１３に回転可能に支持される２つの歯車１７，１７が噛み合っている。この２つの歯車１７，１７は、ドラム１２に形成されるリング状の内歯１２ａにも噛み合っており、ドラム１２の回転をクラッチ１６に伝達するようになっている。なお、歯車１７の歯数およびドラム１２の内歯１２ａの歯数は、ドラム１２の回転速度よりも入力軸１５ａの回転速度の方が大きくなるよう設定されている。
【００２９】
なお、歯車１７およびドラム１２の内歯１２ａは回転増速部に相当する。
［２．コードリール１の動作の説明］
次に、コードリール１の動作を図１を参照して説明する。
【００３０】
まず、シャッターカーテンが下降すると、シャッターカーテンの下端に取り付けられた検知スイッチに接続される電線１１が引張られてドラム１２から巻き出される。すると、ドラム１２が、ドラム１２から電線１１が巻き出される方向に回転し、このドラム１２の回転に伴ってドラム１２の内歯１２ａに噛み合う２つの歯車１７，１７がドラム１２とは反対方向に回転し、２つの歯車１７，１７に噛み合うクラッチ１６の外周側が２つの歯車１７，１７とは反対方向（ドラム１２と同じ方向）に回転し、クラッチ１６に内挿される入力軸１５ａが回転する。このとき、発電機１５が入力軸１５ａの回転を利用して発電を行う。発電機１５が発電した電力は蓄積部としてのバッテリーに供給されて蓄積される。そして、バッテリーに蓄積された電力は制御部に供給される。つまり、制御部は、バッテリーからの電力供給を受けて動作するようになっている。
【００３１】
また、シャッターカーテンが上昇すると、検知スイッチも上昇するために電線１１が緩み、ぜんまいばね１４によって電線１１を巻き取る方向に常時付勢されているドラム１２が電線１１を巻き取る。このとき、このドラム１２の回転に伴ってドラム１２の内歯１２ａに噛み合う２つの歯車１７，１７がドラム１２とは反対方向に回転し、２つの歯車１７，１７に噛み合うクラッチ１６の外周側が２つの歯車１７，１７とは反対方向（ドラム１２と同じ方向）に回転するが、クラッチ１６から入力軸１５ａへは回転が伝達されない。よって、入力軸１５ａが回転しないために発電機１５による発電は行われず、ドラム１２に電線１１を巻き取る際に発電機１５が負荷にならず、したがって、ドラム１２への電線１１の巻取りを円滑に行うことができる。
【００３２】
［２．実施形態の効果］
（１）このように本実施形態のコードリール１によれば、発電機１５がシャッターカーテンの閉動作時に発電を行うので、発電した電力を防火シャッター装置のバッテリーなどの蓄電部に供給して蓄積させることができ、したがって、シャッターカーテンの開閉および停止を制御する制御盤を、障害物が取り除かれるか所定時間が経過するまでは動作状態を維持して待機させる能力を損なうことなく、制御盤に電力を供給する蓄電部の容量を極力小さくすることができる。
【００３３】
（２）また、本実施形態のコードリール１によれば、発電機１５が、電線１１が繰り出されるのに伴って回転するドラム１２を利用して発電を行うので、防火シャッター装置の既存の構成であるドラム１２を利用して効率良く発電を行うことができる。
【００３４】
（３）また、本実施形態のコードリール１によれば、発電機１５が、歯車１７およびドラム１２の内歯１２ａからなる回転増速部によって増速されて勢い良く回転するドラム１２を利用して発電を行うので、効率良く発電することができる。
【００３５】
（４）また、本実施形態のコードリール１によれば、クラッチ１６が、電線１１がドラム１２から繰り出される方向へのドラム１２の回転を発電機１５の入力軸１５ａに伝達するが、電線１１がドラム１２に巻き取られる方向へのドラム１２の回転にはフリーになって伝達しないので、ドラム１２に電線１１を巻き取る際に発電機１５が負荷にならず、したがって、ドラム１２への電線１１の巻取りを円滑に行うことができる。
【００３６】
（５）また、本実施形態のコードリール１によれば、発電機１５を当該コードリール１の一部として構成するので、当該コードリール１を防火シャッター装置に設置すれば発電機１５を防火シャッター装置に設置することになり、防火シャッター装置を組み立てる際の作業性が向上する。
【００３７】
［３．他の実施形態］
以上、本発明の一実施形態について説明したが、本発明は上記実施形態に限定されるものではなく、以下のような様々な態様にて実施することが可能である。
【００３８】
（１）上記実施形態では、電線１１が繰り出されるのに伴って回転するドラム１２を利用して発電機１５が発電を行うが、これには限られず、発電機１５が当該コードリール１から繰り出される電線１１を利用して発電を行うようにしてもよい。
【００３９】
このように構成すれば、防火シャッター装置の既存の構成である電線１１を利用して発電を行うことができる。
（２）また、発電機１５が、閉動作時のシャッターカーテンを利用して発電を行うようにしてもよい。
【００４０】
このように構成すれば、防火シャッター装置の既存の構成であるシャッターカーテンを利用して発電を行うことができる。
（３）また、発電機１５が、シャッターカーテンの閉動作に伴って回転する巻胴部を利用して発電を行うようにしてもよい。なお、巻胴部とは、シャッターカーテンを巻き取る筒状の構成である。
【００４１】
このように構成すれば、防火シャッター装置の既存の構成である巻胴部を利用して効率良く発電を行うことができる。
（４）上記実施形態では、発電機１５を当該コードリール１の一部として構成して本考案をコードリールとして実現しているが、これには限られず、発電機１５を当該コードリール１には取り付けずに防火シャッター装置の筐体内などに設置して、本考案をシャッター装置として実現し、閉動作時のシャッターカーテンを利用して発電を行ったりシャッターカーテンの閉動作に伴って回転する巻胴部を利用して発電を行ったりするようにしてもよい。
【符号の説明】
【００４２】
１…コードリール、１１…電線、１２…ドラム、１２ａ…内歯、１３…筐体、１４…ぜんまいばね、１５…発電機、１５ａ…入力軸、１５ｂ…筐体、１５ｃ，１５ｄ…端子、１６…クラッチ、１７…歯車
【図１】
0003174822.tif 000003
【手続補正書】
【提出日】平成24年2月7日(2012.2.7)
【手続補正１】
【補正対象書類名】実用新案登録請求の範囲
【補正対象項目名】全文
【補正方法】変更
【補正の内容】
【実用新案登録請求の範囲】
【請求項１】
開口部を開閉するシャッターカーテンと、
前記シャッターカーテンを開閉駆動する駆動部と、
前記シャッターカーテンの先端に接触する物体を検知可能な検知スイッチと、
前記検知スイッチとの間を導線によって接続され、前記シャッターカーテンの閉動作時に前記検知スイッチからの検知信号を前記導線を介して受信したら、前記駆動部を制御して前記シャッターカーテンの閉動作を停止させる停止制御を行う制御部と、
前記シャッターカーテンの開動作時には前記導線を巻き取り、前記シャッターカーテンの閉動作時には前記導線を繰り出すコードリールと、
前記制御部を動作させるための電力を蓄積する蓄電部と、
を備えるシャッター装置において、
さらに、前記シャッターカーテンの閉動作時に発電を行い、発電した電力を前記蓄電部に供給して蓄積させる発電部を備えること
を特徴とするシャッター装置。
【請求項２】
請求項１に記載のシャッター装置において、
前記発電部は、閉動作時の前記シャッターカーテンを利用して発電を行うことを特徴とするシャッター装置。
【請求項３】
請求項１に記載のシャッター装置において、
前記シャッターカーテンを巻き取る巻胴部を備え、
前記発電部は、前記シャッターカーテンの閉動作に伴って回転する前記巻胴部を利用して発電を行うこと
を特徴とするシャッター装置。
【請求項４】
請求項１に記載のシャッター装置において、
前記発電部は、前記コードリールから繰り出される前記導線を利用して発電を行うこと
を特徴とするシャッター装置。
【請求項５】
請求項１に記載のシャッター装置において、
前記コードリールは、前記導線を巻き取る巻取りドラムを有し、
前記発電部は、前記コードリールから前記導線が繰り出されるのに伴って回転する前記巻取りドラムを利用して発電を行うこと
を特徴とするシャッター装置。
【請求項６】
請求項５に記載のシャッター装置において、
前記コードリールは、前記巻取りドラムの回転速度を増加させて前記発電部に伝達する回転増速部を有すること
を特徴とするシャッター装置。
【請求項７】
請求項５または請求項６の何れか１項に記載のシャッター装置において、
前記コードリールは、前記導線が繰り出される方向への前記巻取りドラムの回転を前記発電部に伝達し、前記導線が巻き取られる方向への前記巻取りドラムの回転を前記発電部に伝達しないクラッチを有すること
を特徴とするシャッター装置。
【請求項８】
請求項４〜請求項７の何れか１項に記載のシャッター装置において、
前記コードリールが前記発電部を有することを特徴とするシャッター装置。
【請求項９】
開口部を開閉するシャッターカーテンと、
前記シャッターカーテンを開閉駆動する駆動部と、
前記シャッターカーテンの先端に接触する物体を検知可能な検知スイッチと、
前記検知スイッチとの間を導線によって接続され、前記シャッターカーテンの閉動作時に前記検知スイッチからの検知信号を前記導線を介して受信したら、前記駆動部を制御して前記シャッターカーテンの閉動作を停止させる停止制御を行う制御部と、
前記制御部を動作させるための電力を蓄積する蓄電部と、
を備えるシャッター装置に用いられ、前記導線を巻き取りまたは繰り出すコードリールであって、
前記シャッターカーテンの開動作時には前記導線を巻き取り、前記シャッターカーテンの閉動作時には前記導線を繰り出し、
さらに、
前記シャッターカーテンの閉動作時に発電を行い、発電した電力を前記蓄電部に供給して蓄積させる発電部を備えること
を特徴とするコードリール。
【請求項１０】
請求項９に記載のコードリールにおいて、
前記発電部は、当該コードリールから繰り出される前記導線を利用して発電を行うこと
を特徴とするコードリール。
【請求項１１】
請求項９に記載のコードリールにおいて、
前記導線を巻き取る巻取りドラムを有し、
前記発電部は、当該コードリールから前記導線が繰り出されるのに伴って回転する前記巻取りドラムを利用して発電を行うこと
を特徴とするコードリール。
【請求項１２】
請求項１１に記載のコードリールにおいて、
前記巻取りドラムの回転速度を増加させて前記発電部に伝達する回転増速部を有すること
を特徴とするコードリール。
【請求項１３】
請求項１１または請求項１２の何れか１項に記載のコードリールにおいて、
前記導線が繰り出される方向への前記巻取りドラムの回転を前記発電部に伝達し、前記導線が巻き取られる方向への前記巻取りドラムの回転を前記発電部に伝達しないクラッチを有すること
を特徴とするコードリール。
【手続補正２】
【補正対象書類名】明細書
【補正対象項目名】００２１
【補正方法】変更
【補正の内容】
【００２１】
なお、本考案はコードリールとしても実現することができる（請求項９〜１３）。
すなわち、請求項９に係るシャッター装置は、開口部を開閉するシャッターカーテンと、前記シャッターカーテンを開閉駆動する駆動部と、前記シャッターカーテンの先端に接触する物体を検知可能な検知スイッチと、前記検知スイッチとの間を導線によって接続され、前記シャッターカーテンの閉動作時に前記検知スイッチからの検知信号を前記導線を介して受信したら、前記駆動部を制御して前記シャッターカーテンの閉動作を停止させる停止制御を行う制御部と、前記制御部を動作させるための電力を蓄積する蓄電部と、を備えるシャッター装置に用いられ、前記導線を巻き取りまたは繰り出すコードリールであって、前記シャッターカーテンの開動作時には前記導線を巻き取り、前記シャッターカーテンの閉動作時には前記導線を繰り出し、さらに、前記シャッターカーテンの閉動作時に発電を行い、発電した電力を前記蓄電部に供給して蓄積させる発電部を備えることを特徴とする。
また、請求項１０に係るシャッター装置は、請求項９に記載のコードリールにおいて、前記発電部は、当該コードリールから繰り出される前記導線を利用して発電を行うことを特徴とする。
また、請求項１１に係るシャッター装置は、請求項９に記載のコードリールにおいて、前記導線を巻き取る巻取りドラムを有し、前記発電部は、当該コードリールから前記導線が繰り出されるのに伴って回転する前記巻取りドラムを利用して発電を行うことを特徴とする。
また、請求項１２に係るシャッター装置は、請求項１１に記載のコードリールにおいて、前記巻取りドラムの回転速度を増加させて前記発電部に伝達する回転増速部を有することを特徴とする。
また、請求項１３に係るシャッター装置は、請求項１１または請求項１２の何れか１項に記載のコードリールにおいて、前記導線が繰り出される方向への前記巻取りドラムの回転を前記発電部に伝達し、前記導線が巻き取られる方向への前記巻取りドラムの回転を前記発電部に伝達しないクラッチを有することを特徴とする。